(57)【要約】【課題】記録された情報の秘匿性を確保する。【解決手段】ディスク原盤ＤＳに、第１データに応じて長短とされる記録マークが、第２データを所定の変調方式で変調して得たウォブル信号に応じて、その読取方向と交わる方向に変動した位置に形成されている。第１データ及び第２データに夫々分散されてオリジナルデータが記録される。【選択図】      図２
2005025791.tif 000002
【特許請求の範囲】
【請求項１】
記録マークの長短に応じて第１データが記録され、第２データを所定の変調方式で変調して得た信号に応じて、前記記録マークが読取方向と交わる方向に変動した位置に形成された情報記録媒体であって、
オリジナルデータが、前記第１データ及び前記第２データに夫々分散されて記録されていること
を特徴とする情報記録媒体。
【請求項２】
前記オリジナルデータは所定の情報を示す特定データを含み、該特定データが前記第１データ及び前記第２データに夫々分散されて記録されていること
を特徴とする請求項１に記載の情報記録媒体
【請求項３】
前記特定データは著作権管理情報を含むことを特徴とする請求項２に記載の情報記録媒体
【請求項４】
請求項１に記載された情報記録媒体であって、
前記オリジナルデータが主データ及び副データに分割され、当該副データに所定の演算を施して得られた変換用データに基づいて、前記主データを変換して得たデータが前記第１データとして記録され、前記副データ及び前記変換用データが前記第２データとして記録された
ことを特徴とする情報記録媒体。
【請求項５】
前記変換用データは前記副データのエラー訂正符号の少なくとも一部を含むことを特徴とする請求項４に記載の情報記録媒体。
【請求項６】
請求項１に記載の情報記録媒体を再生する情報再生装置において、
前記情報記録媒体に記録された前記記録マークを読取る読取手段と、
前記読取手段の出力信号に基づき、前記記録マークの長短を表す読取信号を生成する読取信号生成手段と、
前記読取信号に基づき、前記第１データを再生する第１データ再生手段と、
前記読取手段の出力信号に基づき、前記記録マークの変動位置を示すウォブル信号を生成するウォブル信号生成手段と、
前記生成されたウォブル信号から前記第２データを再生する第２データ再生手段と
前記再生された第１データ及び前記再生された第２データを用いて前記オリジナルデータを再生するオリジナルデータ再生手段と
を備えたことを特徴とする情報再生装置。
【請求項７】
請求項６に記載の情報再生装置であって、
前記情報記録媒体には、前記オリジナルデータが主データ及び副データに分割され、当該副データに所定の演算を施して得られた変換用データに基づいて、前記主データを変換して得たデータが前記第１データとして記録され、前記副データ及び前記変換用データが前記第２データとして記録されており、
前記オリジナルデータ再生手段は、
前記再生された第２データから抽出した前記変換用データを用いて、前記再生された第１データを逆変換して前記主データを生成する逆変換手段と、
前記再生された第２データから抽出した前記副データ及び前記逆変換された主データを用いて前記オリジナルデータを生成するオリジナルデータ生成手段と
を備えたことを特徴とする情報再生装置。
【請求項８】
請求項１に記載の情報記録媒体を再生する情報再生方法において、
前記情報記録媒体に記録された前記記録マークを読取るステップと、
前記読取手段の出力信号に基づき、前記記録マークの長短を表す読取信号を生成するステップと、
前記読取信号に基づき、前記第１データを再生するステップと、
前記読取手段の出力信号に基づき、前記記録マークの変動位置を示すウォブル信号を生成するステップと、
前記生成されたウォブル信号から前記第２データを再生するステップと、
前記再生された第１データ及び前記再生された第２データを用いて前記オリジナルデータを再生するステップと
を備えたことを特徴とする情報再生方法。
【発明の詳細な説明】
【０００１】
【発明の属する技術分野】
本発明は、光ディスク等の情報記録媒体及び当該媒体から情報を再生する技術に関する。
【０００２】
【従来の技術】
ＣＤやＤＶＤに代表される光ディスクでは、主データをピットの長短で記録している。しかし、例えば、不正コピー防止等のためのコピー制御用の情報を含む副データを記録するため、ピットによる記録容量を減少させることなく別の記録領域を確保したいという要求がある。
【０００３】
ピットの長短による方法以外の手段によって記録容量を高める方式として、ピットの位置を光ディスクの半径方向に変動させる技術が知られている。この技術は、ピットの位置を光ディスクの半径方向にウォブリングさせ、そのウォブルをスペクトラム拡散することで情報を記録するものである（例えば、特許文献１）。
【０００４】
この技術は、コピー制御用の情報を含む所定のデータをランダムデータでスペクトラム拡散してウォブル信号を生成し、ウォブル信号に応じて記録マークの位置をウォブリングさせる。この場合、ウォブルがスペクトラム拡散されているため、所定のデータの秘匿性をある程度高めることができる。
【０００５】
【特許文献１】
特開２００３−８５８９６号公報
【０００６】
【発明が解決しようとする課題】
ところで、主データに所定の暗号化処理が施されており、暗号化処理に用いた「鍵」の情報が副データとして記録されている場合、再生されたウォブル信号に基づいて副データが再生されると、暗号化された主データが容易に再生されてしまう可能性がある。その結果、主データの秘匿性を確保できないという問題が生じる。
【０００７】
本発明が解決しようとする課題としては、記録された情報の秘匿性を確保する情報記録媒体を提供することが一例として挙げられる。
【０００８】
【課題を解決するための手段】
請求項１に記載の発明は、記録マークの長短に応じて第１データが記録され、第２データを所定の変調方式で変調して得た信号に応じて、前記記録マークが読取方向と交わる方向に変動した位置に形成された情報記録媒体であって、オリジナルデータが、前記第１データ及び前記第２データに夫々分散されて記録されていることを特徴とする。
【０００９】
請求項６に記載の発明は、請求項１に記載の情報記録媒体を再生する情報再生装置において、前記情報記録媒体に記録された前記記録マークを読取る読取手段と、前記読取手段の出力信号に基づき、前記記録マークの長短を表す読取信号を生成する読取信号生成手段と、前記読取信号に基づき、前記第１データを再生する第１データ再生手段と、前記読取手段の出力信号に基づき、前記記録マークの変動位置を示すウォブル信号を生成するウォブル信号生成手段と、前記生成されたウォブル信号から前記第２データを再生する第２データ再生手段と前記再生された第１データ及び前記再生された第２データを用いて前記オリジナルデータを再生するオリジナルデータ再生手段とを備えたことを特徴とする。
【００１０】
請求項８に記載の発明は、請求項１に記載の情報記録媒体を再生する情報再生方法において、前記情報記録媒体に記録された前記記録マークを読取るステップと、前記読取手段の出力信号に基づき、前記記録マークの長短を表す読取信号を生成するステップと、前記読取信号に基づき、前記第１データを再生するステップと、前記読取手段の出力信号に基づき、前記記録マークの変動位置を示すウォブル信号を生成するステップと、前記生成されたウォブル信号から前記第２データを再生するステップと、前記再生された第１データ及び前記再生された第２データを用いて前記オリジナルデータを再生するステップとを備えたことを特徴とする。
【００１１】
【発明の実施の形態】
以下、本発明の好適な実施の形態について説明する。本発明の一実施形態に係る情報記録媒体は、円盤状の形状をしており、例えば、ＣＤ（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などの種々の光ディスクが含まれる。
【００１２】
情報記録媒体には、周回状のトラックに沿って記録マークがピットとして形成されている。この記録マークの長短に応じて第１データが記録される。また、トラックは、これを拡大して見ると、読取方向と交わる方向に蛇行している。トラックの蛇行はウォブルと呼ばれ、信号（ウォブル信号）に応じた形状となっている。ウォブル信号は、第２データを所定の変調方式で変調を施して得られる。換言すれば、記録マークはウォブル信号に応じてその読取方向と交わる方向に変動した位置に形成されている。
【００１３】
情報記録媒体において、第１データ及び第２データには、夫々、オリジナルデータが分散されて記録される。即ち、本実施形態では、オリジナルデータに含まれる情報が、記録マークの長短とウォブルの形状といった相異なる物理的な構造で分散して記録されることになる。よって、オリジナルデータを再生するためには、第１データ及び第２データの両方を再生する必要があり、該第１データ及び第２データのいずれか一方を再生しても、オリジナルデータを再生することができない。よって、オリジナルデータとして記録される情報の秘匿性を大幅に向上させることができる。
【００１４】
また、オリジナルデータは所定の情報を示す特定データを含み、該特定データが第１データ及び第２データに夫々分散されて記録されているのが好ましい。この場合、情報記録媒体の再生時、第１データ及び第２データの両方を再生しなければ、特定データを再生することができない。よって、オリジナルデータに含まれる特定データの秘匿性を向上させることができる。ここで、特定データは著作権管理情報を含むのが好ましい。この場合、著作権管理情報の秘匿性を高めることができる。
【００１５】
くわえて、オリジナルデータが主データ及び副データに分割され、当該副データに所定の演算を施して得られた変換用データに基づいて、主データを変換して得たデータが第１データとして記録され、副データ及び変換用データが第２データとして記録されるのが好ましい。この場合、オリジナルデータを再生するためには、先ず、第２データを再生して、副データ及び変換用データを得ると共に、第１データを再生することが必要となる。更に、変換用データに基づいて、第１データを逆変換して主データを得ることができなければ、オリジナルデータを再生することはできない。このように、オリジナルデータを再生するための過程が更に複雑となるため、オリジナルデータの再生は困難となり、その結果、オリジナルデータの秘匿性を更に向上させることが可能となる。
【００１６】
また、変換用データは副データのエラー訂正符号の少なくとも一部を含むことが好ましい。第１データ及び第２データの記録時、副データを含む第２データを情報記録媒体に記録させる際に、副データに基づいてエラー訂正符号が生成される。第１データは、第２データの記録において生成されるエラー訂正符号に基づいて、主データを変換することにより得ることができる。このように、変換用データとして副データのエラー訂正符号を用いれば、特別な処理を行うことなく変換用データを得た後、第１データを生成し、第１データ及び第２データを記録することが可能となる。
【００１７】
次に、本実施形態に係る情報再生装置について説明する。この情報再生装置は、所定の情報記録媒体からオリジナルデータを再生する。当該情報記録媒体には、記録マークの長短によって第１データが記録されている。また、第２データを所定の変調方式で変調して得たウォブル信号に応じて、記録マークがその読取方向と交わる方向に変動した位置に形成されている。更に、第１データ及び第２データには、夫々、オリジナルデータが分散されて記録される。
【００１８】
情報再生装置は、読取手段、読取信号生成手段、第１データ再生手段、ウォブル信号生成手段、第２データ再生手段、及びオリジナルデータ再生手段を備える。読取手段は、情報記録媒体に記録された記録マークを読み取る。読取信号生成手段は、読取手段の出力信号に基づき、記録マークの長短を表す読取信号を生成する。第１データ再生手段は、読取信号に基づき、第１データを再生する。ウォブル信号生成手段は、読取手段の出力信号に基づき、記録マークの変動位置を示すウォブル信号を生成する。第２データ再生手段は、生成されたウォブル信号から第２データを再生する。オリジナルデータ再生手段は、再生された第１データ及び再生された第２データを用いてオリジナルデータを再生する。この情報再生装置によれば、再生された第１データ及び再生された第２データを合成することによりオリジナルデータを再生することが可能となる。
【００１９】
また、情報記録媒体において、オリジナルデータが主データ及び副データに分割され、当該副データのエラー訂正符号に基づいて、主データを変換して得たデータが第１データとして記録され、副データにエラー訂正符号が付与されて得られた第２データが記録されている場合、情報再生装置において、オリジナルデータ再生手段は、再生された第２データから抽出した変換用データを用いて、再生された第１データを逆変換して主データを生成する逆変換手段と、再生された第２データから抽出した副データ及び逆変換された主データを用いてオリジナルデータを生成するオリジナルデータ生成手段とを備えるのが好ましい。この場合、情報再生装置において、副データ及び主データを再生し、再生された副データ及び主データを用いてオリジナルデータを再生することが可能となる。
【００２０】
【実施例】
次に、本発明の好適な実施例について、図面を参照して説明する。
【００２１】
＜１．第１実施例＞
＜１−１：光ディスクの基本構成＞
本実施例では、情報記録媒体としてＤＶＤを一例として取り上げて説明するが、本発明はこれに限定されるものではないことは勿論である。図１に光ディスク１に形成されるトラックを示す。光ディスク１には、周回状のトラックに沿って記録マークがピットＰとして形成されている。この記録マークの長短に応じてピットデータＤＰが記録される。また、トラックは、これを拡大して見ると、読取方向と交わる方向に蛇行している。トラックの蛇行はウォブルと呼ばれ、ウォブル信号ＷＢに応じた形状となっている。ウォブル信号ＷＢは、ウォブルデータＤＷに基づいて生成される。即ち、この光ディスク１にはピットデータＤＰの他に記録マークの蛇行によってウォブルデータＤＷが重畳的に記録されている。
【００２２】
図２に、ピットデータＤＰ及びウォブルデータＤＷのデータフォーマットを示す。本実施例では、エラー訂正コードＥＣＣｐが付加されるピットデータＤＰのデータ単位をＥＣＣブロックという。図２に示すように、１個のＥＣＣブロックは１６個のセクターを含み、１個のセクターは２６個の同期フレームを含む。そして、同期フレームの先頭にピット同期信号ＳＹＮＣｐが配置される。また、ピットデータＤＰの１セクターに対応して、６４バイトから構成されるウォブルデータＤＷの１セクターには、３バイトのウォブル同期信号ＳＹＮＣｗ及び１１バイトのエラー訂正コードＥＣＣｗが配置される。図２に示すように、ウォブル同期信号ＳＹＮＣｗは、ウォブルデータＤＷの１セクターの先頭に配置される。
【００２３】
ここで、光ディスク１のディスク原盤は、後述するように、マスタリング装置において作成される。このマスタリング装置に入力される入力データＤｉｎの構成単位は、図２に示すように、１セクターのピットデータＤＰを構成する２０４８バイトのデータと、１セクターのウォブルデータＤＷを構成する６４バイトのデータより構成されている。即ち、入力データＤｉｎは、ピットデータＤＰ及びウォブルデータＤＷに夫々分散されて記録される。
【００２４】
ここで、入力データＤｉｎとして、画像や音声などの情報を示すデータが用いられる。また、入力データＤｉｎには、コピー情報等の著作権の管理情報が含まれるのが好ましい。図２に示すように、入力データＤｉｎの構成単位には、著作権等のコピー制御用の情報を含む特定データＸが含まれている。入力データＤｉｎの構成単位において、特定データＸは、データＸｐ及びデータＸｗによって構成される。データＸｐは、１セクターのピットデータＤＰを構成する２０４８バイトの一部である。データＸｗは、１セクターのウォブルデータＤＷを構成する６４バイトのデータの一部である。即ち、本実施例では、特定データＸはピットデータＤＰ及びウォブルデータＤＷとして夫々分散されて記録されている。
【００２５】
よって、光ディスク１に記録された入力データＤｉｎを再生するためには、ピットデータＤＰ及びウォブルデータＤＷの両方を再生する必要があり、ピットデータＤＰ及びウォブルデータＤＷのいずれか一方を再生し、該再生により得られたデータを用いても、他方を再生することはできない。従って、入力データＤｉｎの再生が困難となるため、入力データＤｉｎとして記録される情報の秘匿性を大幅に向上させることができる。
【００２６】
また、光ディスク１において、入力データＤｉｎの記録領域は、ピットデータＤＰ及びウォブルデータＤＷの夫々の記録領域として確保することができる。従来は、例えば、画像や音声などの情報はピットの長短として記録されているが、これと比較して本実施例では、該画像や音声などの情報を入力データＤｉｎに含まれる情報として用いることにより、その秘匿性を確保しつつ、データ容量を増やすことが可能となる。
【００２７】
また、ピットデータＤＰ及びウォブルデータＤＷの両方を再生しなければ、入力データＤｉｎのみならず、特定データＸをも再生することができない。よって、入力データＤｉｎに含まれる特定データＸの秘匿性を向上させることができる。従って、特定データＸに含まれるコピー制御用の情報の秘匿性を高めることが可能となる。
【００２８】
＜１−２：マスタリング装置の全体構成＞
図３は、マスタリング装置の全体構成を示すブロック図である。マスタリング装置１００は、光ディスクのディスク原盤ＤＳを作成するための装置であり、記録ユニット２、ディスク原盤ＤＳを回転させるスピンドルモータ３及びサーボユニット４を備える。ディスク原盤ＤＳは、例えば、フォトレジストを塗布したガラス原盤として構成される。記録ユニット２は、レーザー光を照射するレーザーダイオード、レーザー光をディスク原盤ＤＳに集光させる光学系、レーザーダイオード及び光学系を一体として、ディスク原盤ＤＳの半径方向に移動させるスライダー装置を備える。レーザーダイオードは、ドライバ１５から供給される駆動信号に応じたパワーのレーザー光を発光する。スライダー装置はサーボユニット４からの制御信号に従って、光学系及びレーザーダイオードをディスク原盤ＤＳの半径方向に移動させる。
【００２９】
サーボユニット４には、第１クロック信号ＣＫ１及びピット同期信号ＳＹＮＣｐが供給される。サーボユニット４は、これらの信号に同期して、スピンドルモータ３の回転を制御するスピンドルサーボ、レーザー光のフォーカスを制御するフォーカスサーボ及びスライダー装置を制御するスライドサーボを実行する。このうち、スライドサーボでは、螺旋状のトラックを形成するための信号にウォブル信号ＷＢを加算して制御信号が生成され、この制御信号によってスライダー装置が制御される。
【００３０】
第１クロック信号ＣＫ１は第１クロック信号発生回路２１によって生成される。この例において、第１クロック信号ＣＫ１の周波数は１０．５ＭＨｚである。第１クロック信号ＣＫ１はピットデータＤＰの時間基準となる。また、分周回路２２は、第１クロック信号ＣＫ１を分周して第２クロック信号ＣＫ２等を生成する。第２クロック信号ＣＫ２の周波数は４２０ＫＨｚであり、ウォブル信号ＷＢの生成に用いられ、その時間基準となる。
【００３１】
マスタリング装置１００には、外部機器から入力データＤｉｎが供給される。入力データＤｉｎはインターフェース１０を介してバッファ１１に取り込まれる。バッファ１１に取り込まれた入力データＤｉｎは、ＣＰＵの制御の下、ピットデータＤＰと、ウォブルデータＤＷとに分割され、ピットデータメモリ１２とウォブルデータメモリ１６とに各々転送される。ＣＰＵは、所定の規則に従って、分割処理を実行する。この例において、ＣＰＵは、入力データＤｉｎの先頭から６４バイトをウォブルデータＤＷとしてウォブルデータメモリ１６に転送する一方、これに続く２０４８バイトをピットデータメモリ１２に転送する。
【００３２】
ＣＰＵは、ピットデータメモリ１２からピットデータＤＰを読み出してＥＣＣ生成回路１３に供給する。ＥＣＣ生成回路１３はピットデータＤＰのデータ順を予め定められた規則に従って並べ替えるスクランブル処理を施した後、エラー訂正コードＥＣＣｐを生成してこれに付加する。ＤＶＤ変調回路１４は、ＥＣＣ生成回路１３の出力データに変調を施したピットデータＤＰを生成する。このピットデータＤＰには、ＳＹＮＣタイミング生成回路２３で生成されたピット同期信号ＳＹＮＣｐが付加される。
【００３３】
一方、ウォブルデータメモリ１６に記憶されたウォブルデータＤＷは、ＣＰＵの制御の下、そこから読み出されてＥＣＣ生成回路１７に供給される。ＥＣＣ生成回路１７は、ウォブルデータＤＷのデータ順を並べ替えるスクランブル処理を施した後、ウォブルデータＤＷに基づいて生成したエラー訂正コードＥＣＣｗを付加する。
【００３４】
ＲＡＮＤテーブル１８にはスペクトラム拡散に用いられるランダム化パターンが記憶されている。ランダム化パターンは拡散符号に相当し、ランダム関数を用いて生成されるビット列である。ＲＡＮＤテーブル１８には第２クロック信号ＣＫ２が供給され、第２クロック信号ＣＫ２に同期してランダム化パターンが読み出され、ランダムデータＲＮＤとしてスペクトラム拡散変調回路１９に供給される。スペクトラム拡散変調回路１９は、ウォブルデータＤＷにウォブル同期信号ＳＹＮＣｗを付加した後、ランダムデータＲＮＤと乗算してスペクトラム拡散データＳＳを生成する。スペクトラム拡散変調回路１９は、例えば、イクスシブルオア回路ＸＯＲによって構成することができる。
【００３５】
ウォブル信号生成回路２０は、スペクトラム拡散データＳＳに帯域制限を施してウォブル信号ＷＢを生成する。この場合、ウォブル信号生成回路２０は、例えば、バンドパスフィルタやローパスフィルタによって構成することができる。
【００３６】
マスタリング装置１００によって記録マークが形成されたディスク原盤ＤＳは、現像され、レジスト原盤となる。この後、レジスト原盤を基にメッキを行う電鋳プロセスを経て、メタルマスタを１枚作成し、１枚のメタルマスタから複数枚のマザーを作成する。さらに、複数枚のマザーから複数枚のスタンパを作成する。このスタンパを用いてプラスッチック等の樹脂をプレス加工することによって光ディスク１が製造される。
【００３７】
＜１−３．情報再生装置＞
次に、情報再生装置について説明する。図４は情報再生装置２００の全体構成を示すブロック図である。
【００３８】
情報再生装置２００は、情報記録媒体である光ディスク１に対して再生ビームを照射するとともに反射光に応じた信号を出力する光ピックアップ２０２と、光ディスク１の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１に対する相対的位置制御であるフォーカスサーボ及びトラッキングサーボを実行する。
【００３９】
光ピックアップ２０２は、再生ビームを照射するレーザダイオード、４分割検出回路を備える（図示略）。４分割検出回路は、再生ビームの反射光を図４に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。光ピックアップ２及びヘッドアンプ４は上述した読取手段に相当する。
【００４０】
総和生成回路２１０は読取信号生成手段に相当し、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号であり、上述した読取信号に相当する。
【００４１】
ピットデータ復調回路２１１は、総和読取信号ＳＲＦに基づいてピットデータＤＰを再生すると共に第１クロック信号ＣＫ１を生成する。ピットデータ復調回路２１１は、上述した第１データ再生手段に相当する。図５は、ピットデータ復調回路２１１の構成を示すブロック図である。この図に示すようにピットデータ復調回路２１１は、第１クロック信号再生回路３１、ピットデータ抜出回路３２、同期信号検出回路３３、ピットデータ復調回路３４、及びデスクランブル回路３５を備える。
【００４２】
第１クロック信号再生回路３１は、総和読取信号ＳＲＦに基づいてピットデータＤＰに同期した第１クロック信号ＣＫ１を再生する。ピットデータ抜出回路３２は、総和読取信号ＳＲＦを２値化して得た２値化信号を第１クロック信号ＣＫ１でサンプリングして、ピットデータＤＰを再生する。
【００４３】
同期信号検出回路３３は、再生されたピットデータＤＰに含まれる同期パターンを検出し、ピット同期信号ＳＹＮＣｐを生成する。同期パターンは、他のピットデータに含まれていない特定のデータパターンであって、一定の周期を有する。ピット同期信号ＳＹＮＣｐは、同期パターンのタイミングを指示する信号である。
【００４４】
ピットデータ復調回路３４は、ピット同期信号ＳＹＮＣｐを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。デスクランブル回路３５は再生データの順序を予め定められた規則に従って並べ換えるデスクランブル処理を実行し、処理済の再生データを出力する。
【００４５】
このようにして得られた再生データは、図４に示すピットデータ訂正回路２１２へ供給され、そこで、エラー訂正処理や補間処理等が施された後、ピットデータメモリ２４０に格納される。
【００４６】
図４に戻り、説明を続ける。プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。
【００４７】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時においてウォブルデータＤＷをスペクトラム拡散変調して得たウォブル信号ＷＢをプッシュプル信号から抽出できるように設定されている。従って、バンドパスフィルタ２２３は、プッシュプル信号生成回路２２０と共に、上述したウォブル信号生成手段を構成し、その出力信号は、光ディスク１からウォブル信号ＷＢを再生したものとなる。
【００４８】
図６にウォブル信号ＷＢ、２値化信号Ａ、第１クロック信号ＣＫ１、第２クロック信号ＣＫ２、及びピット同期信号ＳＹＮＣｐのタイミングチャートを示す。コンパレータ２２４は、ウォブル信号ＷＢを２値化した２値化信号Ａを出力する。ウォブル信号ＷＢは、周波数が低いので、ゼロクロス付近において波形の傾きが緩やかである。このため、２値化信号Ａは大きなジッタ成分を有する。サンプリング回路２２５は、第２クロック信号ＣＫ２を用いて２値化信号Ａをサンプリングして、データを抜き出してスペクトラム拡散データＳＳを再生する。
【００４９】
この例では、第１クロック信号ＣＫ１の周波数ｆ１が１０．５ＭＨｚであり、第２クロック信号ＣＫ２の周波数ｆ２が４２０ＫＨｚであるため、分周回路２２６は、第１クロック信号ＣＫ１を１／２５分周して第２クロック信号ＣＫ２を生成する。従って、図６に示すように第２クロック信号ＣＫ２の一周期の中に２５個の第１クロック信号ＣＫ１が入る。また、分周回路２２６は、リセット端子Ｒの電圧がアクティブ（ローレベル）になると、リセットされるようになっており、このリセット端子Ｒにはピット同期信号ＳＹＮＣｐが供給される。従って、第２クロック信号ＣＫ２は、ピット同期信号ＳＹＮＣｐの立下りによってリセットされ、その位相がピット同期信号ＳＹＮＣｐによって定まる。
【００５０】
ピットデータＤＰには、２５＊Ｋ（Ｋは自然数）ビットの周期で同期パターンが挿入されており、同期パターンの開始と第２クロック信号ＣＫ２の立ち上りエッジが一致する関係にある。即ち、同期パターンは第２クロック信号ＣＫ２の自然数倍の周期を有する。この場合、図６に示すタイミングでピット同期信号ＳＹＮＣｐがアクティブとなると、分周回路２２６がリセットされ、ピット同期信号ＳＹＮＣｐと第２クロック信号ＣＫ２の位相が調整される。これによって、第２クロック信号ＣＫ２の立ち上がりエッジの発生タイミングを、より周波数の高い第１クロック信号ＣＫ１によって調整することができる。従って、２値化信号Ａのエッジがジッタの影響を受けて揺らいでも、確実にスペクトラム拡散データＳＳを抜き出すことが可能となる。
【００５１】
図４に戻り、説明を続ける。ＲＡＮＤテーブル２２７には、記録時のスペクトラム拡散変調に用いたランダム化パターンが記憶されている。ランダム化パターンは拡散符号に相当し、ランダム関数を用いて生成されるビット列である。ＲＡＮＤテーブル２２７には第２クロック信号ＣＫ２が供給され、第２クロック信号ＣＫ２に同期してランダム化パターンが読み出されることによりランダムデータＲＮＤが生成され、生成されたランダムデータＲＮＤはスペクトラム拡散復調回路２２８に供給される。また、サンプリング回路２２５から出力されるスペクトラム拡散データＳＳはスペクトラム拡散復調回路２２８に供給される。スペクトラム拡散データＳＳとランダムデータＲＮＤを掛け算して、ウォブルデータＤＷを再生する。この際、元々の信号帯域でない信号は、掛け算によって帯域外の信号に変換される。こうして再生されたウォブルデータＤＷは、エラー訂正回路２２９においてエラー訂正が施された後、ウォブルデータメモリ２４１に格納される。尚、コンパレータ２２４、サンプリング回路２２５、分周回路２２６、ＲＡＮＤテーブル２２７、及びスペクトラム拡散復調回路２２８によって、上述した第２データ再生手段が構成される。
【００５２】
情報再生装置２００において、図４に図示しないＣＰＵは、ピットデータメモリ２４０よりピットデータＤＰを読み出すと共に、ウォブルデータメモリ２４１からウォブルデータＤＷを読み出してオリジナルデータ再生回路２４２に供給する。オリジナルデータ再生回路２４２はオリジナルデータ再生手段に相当し、ピットデータＤＰ及びウォブルデータＤＷを合成することによって、記録時に用いられた入力データＤｉｎを再生する。再生されたデータはバッファ２１３に記憶される。インターフェース２１４はバッファ２１３に記憶されたデータを順次読み出して所定の出力形式に変換して外部機器へ出力する。
【００５３】
＜２．第２実施例＞
＜２−１：光ディスクの基本構成＞
第２実施例において、光ディスクには、図１に示す光ディスク１の構成と同様記録マークの長短によってピットデータＤＰが記録される一方、これとは別に記録マークの蛇行によってウォブルデータＤＷが重畳的に記録されている。
【００５４】
図７に、ピットデータＤＰ及びウォブルデータＤＷのデータフォーマットを示す。第２実施例では、ウォブルデータＤＷの構成は図２に示すウォブルデータＤＷの構成と同様であり、ピットデータＤＰの詳細な構成が図２に示すピットデータＤＰと異なっている。
【００５５】
第２実施例では、入力データＤｉｎの構成単位において、１セクターのピットデータＤＰを構成する２０４８バイトのデータは主データとして用いられ、１セクターのウォブルデータＤＷを構成する６４バイトのデータは副データとして用いられる。入力データＤｉｎの構成単位における主データは、対応するウォブルデータＤＷに配置されたエラー訂正コードＥＣＣｗの少なくとも一部に基づいて変換され、該変換後のデータがピットデータＤＰとして光ディスク１に記録される。エラー訂正コードＥＣＣｗは、副データに所定の演算を施して得られるものであるから、上述した変換用データに相当する。図７に示すように、主データに対して、１バイト毎に、該１バイトのＭＳＢ（Ｍｏｓｔ  Ｓｉｇｎｉｆｉｃａｎｔ  Ｂｉｔ）と、ウォブルデータＤＷのエラー訂正コードＥＣＣｗとを用いて所定の演算を行うことによりピットデータＤＰが生成されて、光ディスク１に記録される。尚、所定の演算は、例えば、排他的論理和を算出する演算であってもよい。
【００５６】
よって、光ディスク１より入力データＤｉｎを再生するためには、先ず、ウォブルデータＤＷを再生すると共に、ピットデータＤＰを再生することが必要となる。更に、ウォブルデータＤＷの再生により得られた、ウォブルデータＤＷに付与されたエラー訂正コードＥＣＣｗに基づいて、ピットデータＤＰを逆変換しなければ、入力データＤｉｎを再生することはできない。このように、入力データＤｉｎを再生するための過程が更に複雑となるため、入力データＤｉｎの再生は困難となり、その結果、入力データＤｉｎの秘匿性を更に向上させることが可能となる。
【００５７】
＜２−２：マスタリング装置の全体構成＞
第２実施例におけるマスタリング装置はピットデータ変換回路２４を更に備える点を除いて、図３に示す、第１実施例におけるマスタリング装置１００の構成と同様である。よって、第２実施例におけるマスタリング装置について、図８を参照してピットデータ変換回路２４についてのみ説明する。
【００５８】
ここで、バッファ１１に取り込まれた入力データＤｉｎは、ＣＰＵの制御の下、主データＤＰと、副データであるウォブルデータＤＷとに分割され、ピットデータメモリ１２とウォブルデータメモリ１６とに各々転送される。
【００５９】
ＣＰＵは、ピットデータメモリ１２から主データＤＰを読み出してピットデータ変換回路２４に供給する。ピットデータ変換回路２４は、主データＤＰに対して、１バイト毎に、該１バイトのＭＳＢとＥＣＣ生成回路１７から供給される、ウォブルデータＤＷのエラー訂正コードＥＣＣｗとを用いて所定の演算を行って、主データＤＰを変換して、ピットデータＤＰを生成する。そして、ＥＣＣ生成回路１３には、ピットデータ変換回路２４から出力されたピットデータＤＰａが入力される。
【００６０】
このように、ピットデータＤＰａは、ウォブルデータＤＷの記録において生成されるエラー訂正コードＥＣＣｗに基づいて、主データＤＰを変換することにより得ることができる。このように、主データＤＰの変換用データとしてウォブルデータＤＷのエラー訂正コードＥＣＣｗを用いれば、特別な処理を行うことなく主データＤＰの変換用データを得た後、ピットデータＤＰａを生成し、ピットデータＤＰａ及びウォブルデータＤＷを記録することが可能となる。
【００６１】
＜２−３：情報再生装置の全体構成＞
第２実施例における情報再生装置はピットデータ逆変換回路２５１を更に備える点を除いて、図４に示す、第１実施例における情報再生装置２００の構成と同様である。よって、第２実施例におけるマスタリング装置について、図９を参照してピットデータ逆変換回路２５１についてのみ説明する。
【００６２】
ピットデータ復調回路２１１によって、ピットデータＤＰａが再生されて、ピットデータメモリ２４０に格納される。
【００６３】
ピットデータ逆変換回路２５１は、エラー訂正回路２２９から出力されたウォブルデータＤＷのエラー訂正コードＥＣＣｗと、図９に図示しないＣＰＵによってピットデータメモリ２４０から読み出されたピットデータＤＰａとを用いて、所定の演算を行う。その結果、ピットデータＤＰａが逆変換されて主データＤＰが得られる。
【００６４】
続いて、オリジナルデータ再生回路４４２は、ウォブルデータメモリ２４１から読み出された副データであるウォブルデータＤＷ及び主データＤＰを合成することによって、オリジナルデータを再生する。
【００６５】
尚、第２実施例では、ピットデータ逆変換回路２５１は逆変換手段に相当し、オリジナルデータ再生回路４４２はオリジナルデータ生成手段に相当し、ピットデータ逆変換回路２５１及びオリジナルデータ再生回路４４２によってオリジナルデータ再生手段が構成される。
【００６６】
このように、第２実施例における情報再生装置２００では、副データであるウォブルデータＤＷ及び主データＤＰを再生し、再生されたウォブルデータＤＷ及び主データＤＰを用いて、記録時に用いられた入力データＤｉｎを再生することが可能となる。
【００６７】
本発明は上述した実施例に限定されるものではなく、例えば、以下の変形が可能である。上述した第１実施例では、著作権等のコピー制御用の情報を含む特定データＸが、ピットデータＤＰ及びウォブルデータＤＷに夫々分散されて記録されるが、特定データＸは全てウォブルデータＤＷに含まれるように記録されてもよい。
【図面の簡単な説明】
【図１】ディスク原盤ＤＳに形成されるトラックを示す説明図である。
【図２】本発明の第１実施例に係るピットデータＤＰ及びウォブルデータＤＷのデータフォーマットを示す説明図である。
【図３】本発明の第１実施例に係るマスタリング装置１００の全体構成を示すブロック図である。
【図４】本発明の第１実施例に係る情報再生装置２００の全体構成を示すブロック図である。
【図５】ピットデータ復調回路２１１の構成を示すブロック図である。
【図６】ウォブル信号ＷＢ、２値化信号Ａ、第１クロック信号ＣＫ１、第２クロック信号ＣＫ２、及びピット同期信号ＳＹＮＣｐのタイミングチャートである。
【図７】本発明の第２実施例に係るピットデータＤＰ及びウォブルデータＤＷのデータフォーマットを示す説明図である。
【図８】本発明の第２実施例に係るマスタリング装置１００の全体構成を示すブロック図である。
【図９】本発明の第２実施例に係る情報再生装置２００の全体構成を示すブロック図である。
【符号の説明】
１  光ディスク
１００  マスタリング装置
２００  情報再生装置
２２７  ＲＡＮＤテーブル
２２８  スペクトラム拡散復調回路
２４２  オリジナルデータ再生回路
Ｄｉｎ  入力データ
ＤＰ  ピットデータ
ＤＷ  ウォブルデータ
ＳＳ  スペクトラム拡散データ
ＣＫ１  第１クロック信号
ＣＫ２  第２クロック信号
【図１】
2005025791.tif 000003
【図２】
2005025791.tif 000004
【図３】
2005025791.tif 000005
【図４】
2005025791.tif 000006
【図５】
2005025791.tif 000007
【図６】
2005025791.tif 000008
【図７】
2005025791.tif 000009
【図８】
2005025791.tif 000010
【図９】
2005025791.tif 000011